(57)【特許請求の範囲】
【請求項１】
放送通信システムの送信端から少なくとも２つの周波数帯域を介して放送信号を伝送するための方法において、
放送サービスを提供するための周波数ホッピングパターンを決定する過程と、
前記周波数ホッピングパターンを伝送する過程と、
前記周波数ホッピングパターンに応じて周波数が変更された後、第１フレームを介して制御情報を伝送する過程と、
前記放送サービスのための放送データを、前記第１フレームの後に伝送されるフレームを介して伝送する過程と、を含む方法。
【請求項２】
前記周波数ホッピングパターンを伝送する過程は、
放送信号の第２プリアンブル（Ｐ２）シンボルを利用して前記周波数ホッピングパターンを伝送する過程を含む請求項１に記載の方法。
【請求項３】
放送通信システムの受信端で少なくとも２つの周波数帯域を介して放送信号を受信するための方法において、
送信端から受信した情報に応じて、周波数ホッピングパターンを決定する過程と、
前記周波数ホッピングパターンに応じて放送サービスを提供される周波数が変更された場合、変更された周波数の第１フレームを介して制御情報を決定する過程と、
前記制御情報及び周波数ホッピングパターンに応じて前記変更された周波数の第１フレームの後に受信されるフレームを介して放送データを検出する過程と、を含む方法。
【請求項４】
前記制御情報を決定した後、放送データを含むフレームが受信されるまで待機モード（ｉｄｌｅ  ｍｏｄｅ）で動作する過程を更に含む請求項３に記載の方法。
【請求項５】
前記待機モードで動作する過程は、
前記制御情報を決定した後、待機モードに転換する過程と、
前記第１フレームから第２フレームまでの時間間隔を考慮し、前記第２フレームが到来すると活性モードに転換する過程と、
前記活性モードに転換した後、前記制御情報に応じて前記変更された周波数の第１フレームの後に受信されるフレームを介して放送データを検出する過程と、を含む請求項４に記載の方法。
【請求項６】
前記周波数ホッピングパターンを決定する過程は、
放送信号の第２プリアンブル（Ｐ２）シンボルを介して前記周波数ホッピングパターンを決定する過程を含む請求項３に記載の方法。
【請求項７】
前記制御情報を決定する過程は、
前記第１フレームの第１プリアンブル（Ｐ１）シンボルを介してフレーム同期を獲得する過程と、
前記Ｐ１シンボルのシグナリング情報からシステムのＦＦＴサイズ情報を決定する過程と、
前記ＦＦＴサイズ情報を利用してＰ２シンボルを復号するためのＦＦＴサイズを決定する過程と、
前記第１フレームを介して受信した信号の相関（ｃｏｒｒｅｌａｔｉｏｎ）又はウィンドーイング（ｗｉｎｄｏｗｉｎｇ）を介して保護区間（ＧＩ：Ｇｕａｒｄ  Ｉｎｔｅｒｖａｌ）情報を獲得する過程と、を含む請求項３に記載の方法。
【請求項８】
放送通信システムの送信端から少なくとも２つの周波数帯域を介して放送信号を伝送するための装置において、
放送サービスを提供するための周波数ホッピングパターンを決定する周波数ホッピング制御部と、
前記周波数ホッピングパターンに応じて周波数が変更された後、第１フレームを介して受信端が前記放送サービスに対する放送データを受信するのに必要な制御情報を伝送し、前記放送サービスのための放送データを前記第１フレームの後に位置するフレームを介して伝送するようにスケジューリングするスケジューラと、
前記周波数ホッピングパターン、制御情報及び放送データを伝送する送信機と、を含む装置。
【請求項９】
前記送信機は、放送信号の第２プリアンブル（Ｐ２）シンボルを利用して前記周波数ホッピング制御部で決定した周波数ホッピングパターンを伝送する請求項８に記載の装置。
【請求項１０】
放送通信システムの受信端で少なくとも２つの周波数帯域を介して放送信号を受信するための装置において、
送信端から提供された周波数ホッピングパターンを決定する周波数ホッピング制御部と、
前記周波数ホッピング制御部の制御に応じて放送信号を受信されるための周波数をチューニングして放送信号を受信するＲＦ受信機と、
前記周波数ホッピングパターンに応じて放送サービスが提供される周波数が変更される場合、変更された周波数の第１フレームを介して放送データを受信するための制御情報を受信し、前記制御情報に応じて前記変更された周波数の第１フレームの後に存在するフレームから放送データを検出する受信機と、を含む装置。
【請求項１１】
前記周波数ホッピングパターンは、放送サービスが提供される周波数情報、周波数の変更時点、周波数を変更する前に最後に放送信号を伝送した時点から周波数が変更された後第１フレームまでの第１時間間隔及び前記第１フレームから第２フレームまでの第２時間間隔のうち少なくとも一つを含む請求項１又は請求項３又は請求項８又は請求項１０に記載の方法又は装置。
【請求項１２】
前記制御情報を受信した後、放送データが含まれたフレームが到来するまで待機モード（ｉｄｌｅ  ｍｏｄｅ）で動作するように制御する制御部を更に含む請求項１０に記載の装置。
【請求項１３】
前記制御部は、前記制御情報を決定した後待機モードに転換するように制御し、
前記第１フレームから第２フレームまでの時間間隔を考慮し、前記第２フレームが到来すると活性モードに転換するように制御する請求項１２に記載の装置。
【請求項１４】
前記周波数ホッピング制御部は、放送信号のＰ２シンボルを介して前記周波数ホッピングパターンを決定する過程を含む請求項１０に記載の装置。
【請求項１５】
前記受信機は、前記第１フレームのＰ１シンボルを介してフレーム同期を獲得し、前記Ｐ１シンボルのシグナリング情報からシステムのＦＦＴサイズ情報を決定し、前記ＦＦＴサイズ情報を利用してＰ２シンボルを復号するためのＦＦＴサイズを決定し、前記第１フレームを介して受信した信号の相関（ｃｏｒｒｅｌａｔｉｏｎ）又はウィンドーイング（ｗｉｎｄｏｗｉｎｇ）を介して保護区間（ＧＩ：Ｇｕａｒｄ  Ｉｎｔｅｒｖａｌ）情報を獲得する請求項１０に記載の装置。
【発明の詳細な説明】
【技術分野】
【０００１】
本発明は放送通信システムに関するものであり、特に放送通信システムにおける周波数ホッピング方式を提供するための装置及びその方法に関するものである。
【背景技術】
【０００２】
放送通信システムは、放送チャネルのエラーによって放送品質が低下することを防止するために周波数ホッピング（ｆｒｅｑｕｅｎｃｙ  ｈｏｐｐｉｎｇ）方式を使用する。例えば、放送通信システムは下記図１に示したようにＴＦＳ（Ｔｉｍｅ  Ｆｒｅｑｕｅｎｃｙ  Ｓｌｉｃｉｎｇ）方式を提供する。
【０００３】
図１は、従来技術による放送通信システムにおける周波数ホッピングパターンを示す図である。
【０００４】
前記図１に示したように、放送通信システムは第１ＲＦ（Ｒａｄｉｏ  Ｆｒｅｑｕｅｎｃｙ）１００、第２ＲＦ１１０、第３ＲＦ１２０及び第４ＲＦ１３０をサポートする。
【０００５】
送信端から放送サービスを提供する場合、前記送信端は第１ＲＦ１００を介して前記放送サービスに対する第１放送信号１０２を伝送する。次に、前記送信端は周波数ホッピングパターンに応じて第２ＲＦ１１０を介して前記放送サービスに対する第２放送信号１１２を伝送する。この際、前記送信端は前記放送サービスを受信する受信端のＲＦチューニング時間１０４を考慮して前記第１放送信号１０２を伝送するフレームと前記第２放送信号１１２を伝送するフレームとの間隔を決定する。
【０００６】
受信端が前記送信端から前記放送サービスを受信する場合、前記受信端は前記第１ＲＦ１００を介して第１放送信号１０２を受信する。次に、前記受信端は前記送信端から提供された周波数ホッピングパターンに応じて周波数を第２ＲＦ１１０に変更し、前記第２ＲＦ１１０を介して第２放送信号１１２を受信する。
【０００７】
上述したように、送信端から受信端がＴＦＳ方式によって放送信号を受信するように前記受信端のＲＦチューニング時間１０４を考慮して放送信号を伝送する。しかし、第２世代地上波ＤＶＢ（ＤＶＢ−Ｔ２：Ｄｉｇｉｔａｌ  Ｖｉｄｅｏ  Ｂｒｏａｄｃａｓｔｉｎｇ  ｆｏｒ  ａ  Ｓｅｃｏｎｄ  Ｇｅｎｅｒａｔｉｏｎ  Ｔｅｒｒｅｓｔｒｉａｌ）システムに基づいてフレームを構成する場合、受信端は下記図２に示したように信号遅延によってＴＦＳフレームを受信することができないという問題が発生する。
【０００８】
図２は、従来技術による放送通信システムの受信端で放送信号を受信するための構成を示す図である。
【０００９】
前記図２において、前記図２の（ａ）は信号遅延によって放送データを受信することができない構成を示し、前記図２の（ｂ）は信号遅延を考慮して放送データを受信するための構成を示す。
【００１０】
前記図２の（ａ）に示したように、受信端は周波数ホッピングパターンに応じて放送サービスを受信する周波数が変更されるとｉ番目のフレーム２００でＲＦチューニングを行う。
【００１１】
次に、前記受信端は周波数を変更した後、最初に受信する（ｉ＋１）番目のフレーム２１０を介して放送信号を受信する。例えば、ＤＶＢ−Ｔ２フレームの場合、受信端はフレームが始まる部分に位置するＰ１シンボル（Ｐｒｅａｍｂｌｅ  Ｓｙｍｂｏｌ１）を介してフレーム同期を獲得し、前記Ｐ１シンボルのシグナリング情報からシステムのＦＦＴサイズ情報を決定する。次に、前記受信端は前記決定したＦＦＴサイズ情報を利用してＰ２シンボル（Ｐｒｅａｍｂｌｅ  Ｓｙｍｂｏｌ２）を復号するためのＦＦＴサイズを決定し、受信信号の相関（ｃｏｒｒｅｌａｔｉｏｎ）又はウィンドーイング（ｗｉｎｄｏｗｉｎｇ）を介して保護区間（ＧＩ：Ｇｕａｒｄ  Ｉｎｔｅｒｖａｌ）情報を獲得する。次に、前記受信端は前記ＦＦＴサイズと保護区間情報に応じてＰ２シンボルに基づいて保護区間の受信及び周波数微細調整などを行った後、前記Ｐ２シンボルのシステム構成情報（物理階層）を受信する。
【００１２】
この場合、前記受信端は前記（ｉ＋１）番目のフレーム２１０でＰ２シンボルの保護区間の推定及び周波数微細調整による遅延が発生し、（ｉ＋２）番目のフレームの信号を復号することができなくなる。
【００１３】
それによって、前記受信端は前記図２の（ｂ）に示したように周波数を変更した後、最初に受信する（ｉ＋１）番目のフレーム２１０を介して放送データ受信のための初期設定のみを行う。例えば、前記受信端は（ｉ＋１）番目のフレーム２１０の際に同期を獲得し、Ｐ２シンボルを復号するためのＦＦＴサイズを決定し、保護区間（ＧＩ）情報を獲得する。この際、前記受信端は（ｉ＋１）番目のフレーム２１０を介して受信された放送信号のＰ２シンボル及び発送データを復号しない。
【００１４】
次に、前記受信端は（ｉ＋１）番目のフレーム２１０を介して決定した初期設定情報を利用し、（ｉ＋２）番目のフレーム２２０からＰ２シンボル及び発送データを復号する。
【００１５】
上述したように周波数ホッピングパターンに応じて受信端の周波数を変更する場合、前記受信端は信号遅延及び処理遅延によって変更された周波数を介して受信する第１フレームのＰ２シンボルを復号することができない。即ち、前記受信端は周波数が変更されると第２フレームから放送データを受信する。
【００１６】
それによって、前記放送通信システムでＴＳＦ技術を適用する場合、前記受信端は変更された周波数の第１フレームを介して伝送される放送データを受信することができないという問題が発生する。
【発明の概要】
【課題を解決するための手段】
【００１７】
本発明の目的は、上述した問題点及び／又は短所を解決するためのものであって、以下のような利点のうち少なくとも一つを提供する。よって、本発明の目的は、放送通信システムにおける周波数ホッピング方式を提供するための装置及びその方法を提供することにある。
【００１８】
本発明の他の目的は、放送通信システムにおける周波数ホッピング方式による資源浪費を減らすための装置及びその方法を提供することにある。
【００１９】
本発明のまた他の目的は、放送通信システムにおける周波数ホッピング方式による放送データ損失を減らすための装置及びその方法を提供することにある。
【００２０】
本発明の更に他の目的は、放送通信システムの送信端における周波数ホッピングパターンに応じて放送サービスをスケジューリングするための装置及びその方法を提供することにある。
【００２１】
本発明の更に他の目的は、放送通信システムの受信端における周波数ホッピングパターンに応じて待機モードに転換するための装置及びその方法を提供することにある。
【００２２】
本発明の目的を達成するための本発明の第１見地によると、放送通信システムの送信端から少なくとも２つの周波数帯域を介して放送信号を伝送するための方法は、放送サービスを提供するための周波数ホッピングパターンを決定する過程と、前記周波数ホッピングパターンを伝送する過程と、前記周波数ホッピングパターンに応じて周波数が変更された後、第１フレームを介して制御情報を伝送する過程と、前記放送サービスのための放送データを前記第１フレームの後に伝送されるフレームを介して伝送する過程と、を含むことを特徴とする。
【００２３】
本発明の第２見地によると、放送通信システムの受信端で少なくとも２つの周波数帯域を介して放送信号を受信するための方法は、送信端から提供された周波数ホッピングパターンを決定する過程と、前記周波数ホッピングパターンに応じて放送サービスを提供される周波数が変更される場合、変更された周波数の第１フレームを介して制御情報を決定する過程と、前記制御情報及び周波数ホッピングパターンに応じて前記変更された周波数の第１フレームの後に受信されるフレームを介して放送データを検出する過程と、を含むことを特徴とする。
【００２４】
本発明の第３見地によると、放送通信システムの送信端から少なくとも２つの周波数帯域を介して放送信号を伝送するための装置は、放送サービスを提供するための周波数ホッピングパターンを決定する周波数ホッピング制御部と、前記周波数ホッピングパターンに応じて周波数が変更された後、第１フレームを介して受信端が前記放送サービスに対する放送データを受信するのに必要な制御情報を伝送し、前記放送サービスのための放送データを前記第１フレームの後に位置するフレームを介して伝送するようにスケジューリングするスケジューラと、前記周波数ホッピングパターン、制御情報及び放送データを伝送する送信機と、を含んで構成されることを特徴とする。
【００２５】
本発明の第４見地によると、放送通信システムの受信端から少なくとも２つの周波数帯域を介して放送信号を受信するための装置は、送信端から提供された周波数ホッピングパターンを決定する周波数ホッピング制御部と、前記周波数ホッピング制御部の制御によって放送信号を受信するための周波数をチューニングして放送信号を受信するＲＦ受信機と、前記周波数ホッピングパターンに応じて放送サービスを提供される周波数が変更される場合、変更された周波数の第１フレームを介して放送データを受信するための制御情報を受信し、前記制御情報に応じて前記変更された周波数の第１フレームの後に存在するフレームから放送データを検出する受信機と、を含んで構成されることを特徴とする。
【図面の簡単な説明】
【００２６】
本願発明及びその利点に対するより完全な理解のために添付した図面に結び付けて以下の説明が参照されるが、図面における類似した参照符号は同じ部分を示す。
【図１】従来技術による放送通信システムにおける周波数ホッピングパターンを示す図である。
【図２】従来技術による放送通信システムの受信端で放送信号を受信するための構成を示す図である。
【図３】本発明の実施例による放送通信システムにおける周波数ホッピングパターンを示す図である。
【図４】本発明の実施例による放送通信システムの送信端から放送信号を伝送するための手順を示す図である。
【図５】本発明の実施例による放送通信システムの受信端で放送信号を受信するための手順を示す図である。
【図６】本発明による放送通信システムにおける送信端の構成を示す図である。
【図７】本発明による放送通信システムにおける受信端の構成を示す図である。  前記図面において、参照番号は同じであるか類似した要素、特徴、構造を説明するために使用される。
【発明を実施するための形態】
【００２７】
以下、本発明の実施例を理解を助けるために添付した図面を参照して詳細に説明する。以下の説明において、関連する公知機能或いは構成に対する具体的な説明が本発明の要旨を不明確にする恐れがあると判断される場合、その詳細な説明を省略する。
【００２８】
以下、本発明は放送通信システムにおける周波数ホッピング方式を提供するための技術について説明する。
【００２９】
以下の説明において、放送通信システムはＴＦＳ（Ｔｉｍｅ  Ｆｒｅｑｕｅｎｃｙ  Ｓｌｉｃｉｎｇ）方式を提供すると仮定する。
【００３０】
図３は、本発明の実施例による放送通信システムにおける周波数ホッピングパターンを示す図である。
【００３１】
前記図３に示したように、放送通信システムは第１ＲＦ（Ｒａｄｉｏ  Ｆｒｅｑｕｅｎｃｙ）３００、第２ＲＦ３１０、第３ＲＦ３２０及び第４ＲＦ３３０をサポートする。
【００３２】
送信端が放送サービスを提供する場合、前記送信端は第１ＲＦ３００を介して特定の放送サービスに対する第１放送信号３０２を伝送する。次に、前記送信端は周波数ホッピングパターンに応じて第２ＲＦ３１０を介して前記放送サービスに対する放送信号を伝送する。
【００３３】
上述したように放送サービスを提供する周波数が変更される場合、前記送信端は前記受信端が第２ＲＦ３１０に周波数を変更した後、第１フレーム３１２を介して放送データを受信することができないと認識する。即ち、前記送信端は受信端がｔ１時間３４１の後に到来する第１フレーム３１２を介して放送データを受信することができないと認識する。それによって、前記送信端は第２ＲＦ３１０の第２フレーム３１４を介して放送データを伝送するようにスケジューリングする。例えば、送信端から受信端にチャネル１に対する放送サービスを提供する場合、前記送信端は第１ＲＦ３００を介して前記放送サービスに対するｉ番目の放送データを伝送する。次に、前記送信端は前記第１フレーム３１２ではなくｔ１時間３４１及びｔ２時間３４３の後に到来するフレーム３１４を介して前記放送サービスに対する（ｉ＋１）番目の放送データを伝送する。この際、前記送信端は前記第１フレーム３１２の間、他の放送サービスに対する放送信号を伝送するか任意の信号を伝送してもよい。ここで、前記ｉは放送データインデックスを示す。
【００３４】
受信端が前記送信端から前記放送サービスを受信する場合、前記受信端は前記第１ＲＦ３００を介して第１放送信号３０２を受信する。次に、前記受信端は前記送信端から提供された周波数ホッピングパターンに応じて第２ＲＦ３１０に周波数を変更する。この際、前記受信端は第２ＲＦ３１０の第１フレーム３１２の間、放送データを受信するための初期設定を行う。例えば、前記受信端は前記第１フレーム３１２を介して受信された信号のＰ１シンボルからＦＦＴサイズを決定し、Ｐ２シンボルから保護区間を推定する。この際、前記受信端は送信端から提供されたｔ１時間３４１の情報に応じて第１フレーム３１２を認識する。
【００３５】
前記受信端は前記第１フレーム３１２を介して行った初期設定に応じて第２フレーム３１４を介して放送信号を受信する。即ち、前記受信端は前記送信端から提供されたｔ２時間３４３の情報に応じて第２フレーム３１４を介して放送信号を受信する。この際、前記受信端はｔ１時間３４１及びｔ２時間３４３を考慮して前記第１フレーム３１２を介して初期設定を行った後、第２フレーム３１４区間が到来するまで待機モード（ｉｄｌｅ  ｍｏｄｅ）で動作してもよい。
【００３６】
図４は、本発明の実施例による放送通信システムの送信端から放送信号を伝送するための手順を示す図である。
【００３７】
前記図３及び前記図４を参照すると、前記送信端はステップ４０１でＴＦＳ方式のための周波数ホッピングパターンを決定する。
【００３８】
次に、前記送信端はステップ４０３に進行して前記周波数ホッピングパターンに応じたｔ１時間３４１とｔ２時間３４３を決定する。ここで、前記ｔ１時間３４１は変更前の周波数を介して最後に放送信号を伝送した時点から周波数が変更された後の第１フレームまでの時間を示す。前記ｔ２時間３４３は、周波数帯域が変更された後第１フレームから第２フレームまでの時間を示す。
【００３９】
前記ｔ１時間３４１とｔ２時間３４３を決定した後、前記送信端はステップ４０５に進行して前記ｔ１時間３４１とｔ２時間３４３を考慮して放送サービスをスケジューリングする。例えば、前記図３のような周波数ホッピングパターンの場合、前記送信端は受信端が第２ＲＦ３１０に周波数を変更した後、第１フレーム３１２を介して放送データを受信することができないと認識する。即ち、前記送信端は第１ＲＦ３００を介して前記放送信号３０２を伝送した後、ｔ１時間３４１の後に到来する第１フレーム３１２を介して放送データを受信することができないと認識する。それによって、前記送信端は第２ＲＦ３１０の第２フレーム３１４を介して放送データを伝送するようにスケジューリングする。
【００４０】
次に、前記送信端はステップ４０７に進行して前記周波数ホッピングパターン及び前記スケジューリング情報に応じて放送データを伝送する。次に、前記送信端は前記ステップ４０１で決定した周波数ホッピングパターンを伝送する。例えば、前記送信端はＰ２シンボルを利用して周波数ホッピングパターンを伝送する。他の例として、前記送信端は別途の制御信号を利用して周波数ホッピングパターンを伝送してもよい。ここで、前記周波数ホッピングパターンは放送サービスが提供される周波数情報、周波数の変更時点、ｔ１時間３４１及びｔ２時間３４３を含む。
【００４１】
図５は、本発明の実施例による放送通信システムの受信端で放送信号を受信するための手順を示す図である。
【００４２】
前記図５を参照すると、前記受信端はステップ５０１で送信端から提供された周波数ホッピングパターンを決定する。ここで、前記周波数ホッピングパターンは放送サービスを提供する周波数情報、ｔ１時間３４１及びｔ２時間３４３を含む。前記ｔ１時間３４１は変更前の周波数を介して最後に放送信号を伝送した時点から周波数が変更された後の第１フレームまでの時間を示す。前記ｔ２時間３４３は、前記第１フレームから第２フレームまでの時間を示す。
【００４３】
前記周波数ホッピングパターンを決定した後、前記受信端はステップ５０３に進行して前記周波数ホッピングパターンに応じて第１周波数を介して放送信号を受信する。例えば、前記図３の場合、前記受信端は第１ＲＦ３００を介して放送信号を受信する。
【００４４】
次に、前記受信端はステップ５０５に進行して前記周波数ホッピングパターンに応じて周波数ホッピング時点が到来するのかを決定する。
【００４５】
周波数ホッピング時点が到来していない場合、前記受信端は前記ステップ５０３に進行して前記第１周波数を介して放送信号を受信する。
【００４６】
一方、周波数ホッピング時点が到来した場合、前記受信端はステップ５０７に進行して前記周波数ホッピングパターンに応じて放送サービスを提供される周波数を変更する。例えば、前記図３の場合、前記受信端は周波数ホッピングパターンに応じてサービング周波数を第２ＲＦ３１０に変更する。
【００４７】
前記放送サービスを提供されるサービング周波数を変更した後、前記受信端はステップ５０９に進行してｔ１時間３４１に応じて変更されたサービング周波数の第１フレームの間に放送データを受信するための初期設定を行う。例えば、前記図３の場合、前記受信端は第２ＲＦ３１０の第１フレーム３１２を介して受信された信号のＰ１シンボルを介してフレーム同期を取得し、前記Ｐ１シンボルのシグナリング情報からシステムのＦＦＴサイズ情報を決定する。次に、前記受信端はＦＦＴサイズ情報を利用してＰ２シンボルを復号するためのＦＦＴサイズを決定する。また、前記受信端は受信信号の相関（ｃｏｒｒｅｌａｔｉｏｎ）又はウィンドーイング（ｗｉｎｄｏｗｉｎｇ）を介して保護区間（ＧＩ：Ｇｕａｒｄ  Ｉｎｔｅｒｖａｌ）情報を獲得する。
【００４８】
前記第１フレームを介して初期設定を行った後、前記受信端はステップ５１１に進行して待機モードに転換される。
【００４９】
次に、前記受信端はステップ５１３に進行してｔ２時間３４３に応じて第２フレームの受信時点が到来するのかを決定する。
【００５０】
第２フレームの受信時点が到来していない場合、前記受信端は待機モードで第２フレームの受信時点が到来するのかを持続的に決定する。例えば、待機モードに動作する前記受信端は一定時間間隔に活性化されて受信時点の到来可否を決定してもよい。他の例として、前記受信端はｔ２時間３４３が到来すると受信時点であることを認識し、自動的に待機モードから活性モードに転換されてもよい。
【００５１】
一方、第２フレームの受信時点が到来した場合、前記受信端はステップ５１５に進行して活性モードに転換される。
【００５２】
活性モードに転換された後、前記受信端はステップ５１７に進行して前記ステップ５９０で行った初期設定情報を利用して放送データを検出する。
【００５３】
次に、前記受信端はステップ５１９に進行して周波数ホッピングパターンに応じて周波数ホッピング時点が到来するのかを決定する。
【００５４】
周波数ホッピング時点が到来する場合、前記受信端はステップ５０７に進行して周波数ホッピングパターンに応じて放送サービスが提供されるサービング周波数を変更する。
【００５５】
一方、周波数ホッピング時点が到来していない場合、前記受信端は前記ステップ５１７に進行して受信されるフレームから放送データを検出する。
【００５６】
上述した実施例において、受信端は周波数を変更した後第１フレームを介して初期設定を行い、第２フレームが受信されるまで待機モードで動作する（ステップ５１１）。
【００５７】
他の実施例において、前記受信端は周波数を変更した後第１フレームを介して初期設定を行い、第２フレームが受信されるまで活性モードを維持してもよい。この場合、前記受信端は前記図５のステップ５１１及びステップ５１５を省略する。
【００５８】
以下、ＴＦＳ方式によって放送サービスを提供するための送信端の構成について説明する。
【００５９】
図６は、本発明による放送通信システムにおける送信端の構成を示す図である。
【００６０】
前記図６に示したように、前記送信端はスケジューラ６００、ＴＦＳ制御部６１０、フレーム構成機（ｆｒａｍｅ  ｂｕｉｌｄｅｒ）６２０及び多数の送信機６３０−１乃至６３０−ＮＴＸを含んで構成される。
【００６１】
前記スケジューラ６００は放送サービスをスケジューリングする。即ち、前記スケジューラ６００は前記ＴＦＳ制御部６１０から提供された周波数ホッピングパターンによって放送サービスをスケジューリングする。例えば、前記図３のような周波数ホッピングパターンの場合、前記スケジューラ６００は第１ＲＦ３００を介して前記第１放送信号３０２を伝送した後、ｔ１時間３４１の後に到来する第１フレーム３１２を介して受信端が放送データを受信することができないと認識する。それによって、前記スケジューラ６００は第２ＲＦ３１０の第２フレーム３１４を介して放送データを伝送するようにスケジューリングする。
【００６２】
前記ＴＦＳ制御部６１０はＴＦＳ方式のための周波数ホッピングパターンを決定する。
【００６３】
前記フレーム構成機６２０は、前記ＴＦＳ制御部６１０で決定した周波数ホッピングパターンに応じてそれぞれの周波数帯域を介して伝送する放送データを該当送信機６３０−１乃至６３０−ＮＴＸにマッピングする。
【００６４】
前記送信機６３０−１乃至６３０−ＮＴＸは、各周波数を介して伝送する放送信号を構成する。この際、前記送信機６３０−１乃至６３０−ＮＴＸは細部ブロック構成が同じである。よって、前記送信機６３０−１乃至６３０−ＮＴＸのうち第１送信機６３０−１を代表として説明する。
【００６５】
前記第１送信機６３０−１は符号化機６３１−１、ＯＦＤＭ変調機６３３−１、保護区間送入機６３５−１、プリアンブル送入機６３７−１及びＲＦ処理機６３９−１を含んで構成される。
【００６６】
前記符号化機６３１−１は該当周波数を介して伝送する放送データをチャネル符号化（ｃｈａｎｎｅｌ  ｅｎｃｏｄｉｎｇ）及び変調（ｍｏｄｕｌａｔｉｏｎ）してデータシンボルを生成する。
【００６７】
前記ＯＦＤＭ変調機６３３−１は、前記符号化機６３１−１から提供されたデータシンボルに対するＩＦＦＴ（Ｉｎｖｅｒｓｅ  Ｆａｓｔ  Ｆｏｕｒｉｅｒ  Ｔｒａｎｓｆｏｒｍ）演算を行う。
【００６８】
前記保護区間送入機６３５−１は、前記ＯＦＤＭ変調機６３３−１から提供された時間領域信号に保護区間を挿入する。
【００６９】
前記プリアンブル送入機６３７−１は、前記保護区間送入機６３５−１から提供される信号の前端にプリアンブル信号（Ｐ１シンボル）を挿入する。
【００７０】
前記ＲＦ処理部６３０−１は、前記プリアンブル送入機６３７−１から提供された信号をＲＦ帯域の信号にアップ変換してアンテナを介して送信する。例えば、前記ＲＦ処理部６３９−１は図示されていないが、増幅器、ミキサ（Ｍｉｘｅｒ），オシレータ（ｏｓｃｉｌｌａｔｏｒ）、ＤＡＣ（Ｄｉｇｉｔａｌ  ｔｏ  Ａｎａｌｏｇ  Ｃｏｎｖｅｒｔｏｒ）などを含んで構成される。
【００７１】
上述した実施例において、送信端はそれぞれの周波数を介して信号を伝送する多数個の送信機６３０−１乃至６３０−ＮＴＸを含んで構成される。
【００７２】
他の実施例によって、前記送信端は広帯域信号を処理する一つの送信機のみを含んで構成されてもよい。例えば、前記送信端は第１送信機６３０−１のみでフレーム構成機６２０から出力されるデータを順次に処理してもよい。この場合、前記ＲＦ処理機６３９−１は前記ＴＦＳ制御部６１０の制御によって複数のＲＦ帯域を処理すべきである。
【００７３】
また他の実施例によって、前記送信端は多数個のＲＦ処理機を含む一つの送信機のみで構成されてもよい。例えば、前記送信端は符号化機６３１−１、ＯＦＤＭ変調機６３３−１、保護区間送入機６３５−１、プリアンブル送入機６３７−１及び多数個のＲＦ処理機６３９−１などを含んで構成される第１送信機６３０−１のみでフレーム構成機６２０から出力されるデータを順次に処理してもよい。この場合、図示されていないが、前記プリアンブル送入機６３７−１と複数のＲＦ処理機との間には周波数ホッピングパターンに応じてプリアンブル送入機６３７−１と該当ＲＦ処理機を連結するスイッチが位置する。
【００７４】
以下、放送信号を受信するための受信端の構成について説明する。
【００７５】
図７は、本発明による放送通信システムにおける受信端の構成を示す図である。
【００７６】
前記図７に示したように、前記受信端はＲＦ受信機７００、ＴＦＳ制御部７１０、プリアンブル検出器７２０、保護区間除去機７３０、ＯＦＤＭ復調機７４０及び復号化機７５０を含んで構成される。
【００７７】
前記ＲＦ受信機７００は、アンテナを介して受信されるＲＦ帯域信号を基底帯域信号にダウン変換する。この際、前記ＲＦ受信機７００は前記ＴＦＳ制御部７１０の制御によって放送サービスを受信するための周波数帯域の信号を受信する。例えば、前記ＲＦ受信機７００は増幅器、ミキサ（Ｍｉｘｅｒ），オシレータ（ｏｓｃｉｌｌａｔｏｒ）、ＡＤＣ（Ａｎａｌｏｇ  ｔｏ  Ｄｉｇｉｔａｌ  Ｃｏｎｖｅｒｔｏｒ）などを含んで構成される。
【００７８】
前記ＴＦＳ制御部７１０は、送信端から提供された周波数ホッピングパターンに応じて前記ＲＦ受信機７００で放送信号を受信するためのサービング周波数を制御する。
【００７９】
前記プリアンブル検出器７２０は、前記ＲＦ受信機７００から提供された信号からプリアンブル信号（Ｐ１シンボル）を検出してフレーム同期を獲得する。また、周波数ホッピングパターンによって放送サービスを受信するためのサービング周波数が変更される場合、前記プリアンブル検出器７２０は前記サービング周波数を変更した後、第１フレームの間に放送データを受信するための初期設定を行う。例えば、前記プリアンブル検出器７２０は前記第１フレームのＰ１シンボルを介してフレーム同期を獲得し、前記Ｐ１シンボルのシグナリング情報からシステムのＦＦＴサイズ情報を決定する。次に、前記プリアンブル検出器７２０は前記ＦＦＴサイズ情報を利用してＰ２シンボルを復号するためのＦＦＴサイズを決定する。また、前記プリアンブル検出器７２０は受信信号の相関（ｃｏｒｒｅｌａｔｉｏｎ）又はウィンドーイング（ｗｉｎｄｏｗｉｎｇ）を介して保護区間（ＧＩ：Ｇｕａｒｄ  Ｉｎｔｅｒｖａｌ）情報を獲得する。
【００８０】
前記保護区間除去機７３０は、受信信号から保護区間を除去する。
【００８１】
前記ＯＦＤＭ復調機７４０は、前記保護区間除去機７３０から保護区間を除去したシンボルに対するＦＦＴ（Ｆａｓｔ  Ｆｏｕｒｉｅｒ  Ｔｒａｎｓｆｏｒｍ）演算を介して周波数領域にマッピングされたシンボルを復元する。
【００８２】
前記復号化機７５０は前記ＯＦＤＭ復調機７４０から提供されたデータシンボルの歪曲を補償し、前記データシンボルを復調及びチャネル復号化して放送データを含むパケットを復元する。例えば、周波数ホッピングパターンによって放送サービスを受信するためのサービング周波数が変更される場合、前記復号化機７５０は前記サービング周波数を変更した後、第２フレームを介して受信される放送信号から復号化して放送データを含むパケットを復元する。
【００８３】
図示されていないが、前記受信端は前記受信端の全般的な動作を制御する制御部を更に含んで構成される。この際、前記制御部は送信端から提供された周波数ホッピングパターンに応じて前記受信端が待機モードで動作するように制御する。例えば、前記受信端は周波数を変更してから最初に受信されるフレームを介して放送信号を受信するための初期設定を行う。この際、前記制御部は送信端から提供されたｔ１時間３４１及びｔ２時間３４３の情報に応じて第１フレームを介して初期設定を行った後、第２フレームが到来するまで前記受信端が待機モード（ｉｄｌｅ  ｍｏｄｅ）で動作するように制御する。
【００８４】
上述したように、周波数ホッピング方式を使用する放送通信システムの送信端で受信端の周波数ホッピングパターンに応じて放送サービスをスケジューリングすることで、受信端は周波数ホッピングによってデータが損失されることを防止することができる。
【００８５】
また、受信端が周波数ホッピングパターンに応じて待機モードで動作することで、前記受信端の電力消耗を減らす利点がある。
【００８６】
一方、本発明の詳細な説明では具体的な実施例について説明したが、本発明の範囲を逸脱しない範囲内で多様な変形が可能である。従って、本発明の範囲は説明された実施例に限って決められてはならず、後述する特許請求の範囲だけでなく、この特許請求の範囲と均等なものによって決められるべきである。
【符号の説明】
【００８７】
６００…  スケジューラ
６１０…  ＴＦＳ制御部
６２０…  フレーム構成機
６３０−１…  送信機
６３１−１…  符号化機
６３３−１…  ＯＦＤＭ変調機
６３５−１…  保護区間送入機
６３７−１…  プリアンブル送入機
６３９−１…  ＲＦ処理機
７００…  ＲＦ受信機
７１０…  ＴＦＳ制御部
７２０…  プリアンブル検出器
７３０…  保護区間除去機
７４０…  ＯＦＤＭ復調機
７５０…  復号化機
【図１】
0005837944.tif 000002
【図２】
0005837944.tif 000003
【図３】
0005837944.tif 000004
【図４】
0005837944.tif 000005
【図５】
0005837944.tif 000006
【図６】
0005837944.tif 000007
【図７】
0005837944.tif 000008